(57)【要約】【課題】カード処理装置において、ＩＣカードの接触端子に対するコイルの感度を向上させる。【解決手段】第１の方向にわたって接触端子が設けられたＩＣカードを、処理するカード処理装置であって、第１の方向に直交する第２の方向へとＩＣカードが挿入される挿入口と；挿入口にＩＣカードが挿入された際に接触端子が通過する挿入口より第２の方向側に位置する領域に対向し、第１の方向に延びた辺を挿入口側に有する多角形を成すコイルと；コイルから出力される信号の変化に基づいて、ＩＣカードの受け入れを許可する許可部と；を備える。【選択図】図８
2015201061.tif 000002
【特許請求の範囲】
【請求項１】
第１の方向にわたって接触端子が設けられたＩＣカードを、処理するカード処理装置であって、
前記第１の方向に直交する第２の方向へと前記ＩＣカードが挿入される挿入口と、
前記挿入口に前記ＩＣカードが挿入された際に前記接触端子が通過する前記挿入口より前記第２の方向側に位置する領域に対向し、前記第１の方向に延びた辺を前記挿入口側に有する多角形を成すコイルと、
前記コイルから出力される信号の変化に基づいて、前記ＩＣカードの受け入れを許可する許可部と
を備えるカード処理装置。
【請求項２】
前記コイルの形状は矩形である、請求項１に記載のカード処理装置。
【請求項３】
前記コイルは空芯コイルである、請求項１に記載のカード処理装置。
【請求項４】
更に、前記挿入口に前記ＩＣカードが挿入された際に前記ＩＣカードが通過する前記挿入口より前記第２の方向側に位置する領域の周囲を、前記コイルを含めて囲む磁気シールドを備える請求項３に記載のカード処理装置。
【請求項５】
請求項１に記載のカード処理装置であって、
前記コイルの形状は矩形であり、
前記コイルは空芯コイルである、カード処理装置。
【請求項６】
更に、前記挿入口に前記ＩＣカードが挿入された際に前記ＩＣカードが通過する前記挿入口より前記第２の方向側に位置する領域の周囲を、前記コイルを含めて囲む磁気シールドを備える請求項５に記載のカード処理装置。
【請求項７】
前記辺の長さは５．０ｍｍ以上１５．０ｍｍ以下である、請求項１に記載のカード処理装置。
【請求項８】
更に、前記挿入口に前記ＩＣカードが挿入された際に前記接触端子が通過する前記挿入口より前記第２の方向側に位置する前記領域と、前記コイルとの間に設けられた非磁性体を備える請求項１に記載のカード処理装置。
【請求項９】
請求項８に記載のカード処理装置であって、
前記コイルの形状は矩形であり、
前記コイルは空芯コイルである、カード処理装置。
【請求項１０】
更に、前記挿入口に前記ＩＣカードが挿入された際に前記ＩＣカードが通過する前記挿入口より前記第２の方向側に位置する領域の周囲を、前記コイルを含めて磁気シールドを備える請求項９に記載のカード処理装置。
【請求項１１】
請求項１に記載のカード処理装置であって、
更に、前記ＩＣカードにおける前記第２の方向に延びた外縁部を検出する外縁検出部を備え、
前記許可部は、前記コイルから出力される信号の変化と、前記外縁検出部から出力される信号の変化とに基づいて、前記ＩＣカードの受け入れを許可するカード処理装置。
【請求項１２】
請求項１１に記載のカード処理装置であって、
前記コイルの形状は矩形であり、
前記コイルは空芯コイルである、カード処理装置。
【請求項１３】
更に、前記挿入口に前記ＩＣカードが挿入された際に前記ＩＣカードが通過する前記挿入口より前記第２の方向側に位置する領域の周囲を、前記コイルを含めて囲む磁気シールドを備える請求項１２に記載のカード処理装置。
【請求項１４】
請求項１から請求項１３までのいずれか一項に記載のカード処理装置であって、
更に、前記挿入口に前記ＩＣカードが挿入された際に前記ＩＣカードにおける前記接触端子とは異なる部位が通過する前記挿入口より前記第２の方向側に位置する領域に対向し、前記コイルとは異なる他のコイルを備え、
前記許可部は、前記コイルから出力される信号の変化と、前記他のコイルから出力される信号の変化とに基づいて、前記ＩＣカードの受け入れを許可し、
前記コイルは、前記第１の方向および前記第２の方向に直交する第３の方向において、前記接触端子が通過する前記領域に対して、前記他のコイルより近くに位置する、カード処理装置。
【請求項１５】
前記他のコイルは、前記コイルと同じ構造を有するコイルである、請求項１４に記載のカード処理装置。
【発明の詳細な説明】
【技術分野】
【０００１】
本発明は、カード処理装置に関する。
【背景技術】
【０００２】
カードを処理するカード処理装置には、接触端子が表面に設けられたカードを処理するものがある。このカードは「ＩＣカード」や「スマートカード」「チップカード」など様々な名称で呼ばれているため、以降「ＩＣカード」と言う。特許文献１には、ＩＣカードが挿入される挿入口と、ＩＣカードの受け入れを許可する許可部とを備えるカード処理装置が記載されている。
【０００３】
特許文献１のカード処理装置では、挿入口より奥に、磁界を発生させるコイルが設けられ、さらにコイルの奥には、ＩＣカードの挿入を規制するシャッタが設けられている。コイルから発生する磁界は、挿入口より挿入されたＩＣカードの接触端子によって変化し、これに伴って、コイルから出力される信号も変化する。カード処理装置の許可部は、コイルから出力される信号の変化に基づいて、挿入口に挿入された挿入物をＩＣカードと判断した場合、ＩＣカードの受け入れを許可する。ＩＣカードの受け入れが許可された場合、カード処理装置は、シャッタを開放してＩＣカードを受け入れる。
【先行技術文献】
【特許文献】
【０００４】
【特許文献１】特開２００５−１０７５８２号公報
【発明の概要】
【発明が解決しようとする課題】
【０００５】
特許文献１のカード処理装置では、ＩＣカードが挿入口に挿入されてから、ＩＣカードの受け入れが許可されるまでの時間を短縮することによって、ＩＣカードの円滑な挿入を実現することについて、十分に考慮されていなかった。例えば、挿入口へＩＣカードを挿入する速度が比較的に速い場合、ＩＣカードの挿入に対してシャッタの開放が間に合わず、ＩＣカードがシャッタに衝突することによって、ＩＣカードの円滑な挿入が阻害される虞がある。他の課題としては、カード処理装置においては、その小型化や、低コスト化、省資源化、製造の容易化、使い勝手の向上等が望まれていた。
【課題を解決するための手段】
【０００６】
本発明は、上述の課題の少なくとも一部を解決するためになされたものであり、以下の形態として実現することが可能である。
【０００７】
本発明の一形態によれば、第１の方向にわたって接触端子が設けられたＩＣカードを、処理するカード処理装置が提供される。このカード処理装置は、前記第１の方向に直交する第２の方向へと前記ＩＣカードが挿入される挿入口と；前記挿入口に前記ＩＣカードが挿入された際に前記接触端子が通過する前記挿入口より前記第２の方向側に位置する領域に対向し、前記第１の方向に延びた辺を前記挿入口側に有する多角形を成すコイルと；前記コイルから出力される信号の変化に基づいて、前記ＩＣカードの受け入れを許可する許可部と；を備える。この形態によれば、ＩＣカードが挿入された際、第１の方向にわたって設けられた接触端子に対して、第１の方向に延びたコイルの辺が挿入口側に位置するため、挿入口に挿入されてくるＩＣカードの接触端子に対するコイルの感度を向上できる。したがって、ＩＣカードが挿入口に挿入されてからＩＣカードの受け入れを許可するまでの時間を短縮することができる。
【０００８】
上記形態のカード処理装置において、前記コイルの形状は矩形であってもよい。この形態のカード処理装置によれば、第１の方向に延びた辺を前記挿入口側に有するコイルを容易に実現できる。
【０００９】
上記形態のカード処理装置において、前記コイルは空芯コイルであってもよい。この形態のカード処理装置によれば、ポッドコアなどの磁気遮蔽型コアを有するコイルと比較して、コイルから発生する磁界の範囲が広くなるため、挿入口に挿入されてくるＩＣカードの接触端子に対するコイルの感度を一層向上できる。
【００１０】
上記形態のカード処理装置は、更に、前記挿入口に前記ＩＣカードが挿入された際に前記ＩＣカードが通過する前記挿入口より前記第２の方向側に位置する領域の周囲を、前記コイルを含めて囲む磁気シールドを備えてもよい。この形態のカード処理装置によれば、挿入口の外部にコイルの磁界が漏れることを防止できる。
【００１１】
上記形態のカード処理装置は、更に、前記挿入口に前記ＩＣカードが挿入された際に前記接触端子が通過する前記挿入口より前記第２の方向側に位置する前記領域と、前記コイルとの間に設けられた非磁性体を備えてもよい。この形態のカード処理装置によれば、ＩＣカードとの接触によるコイルの損傷を防止できる。
【００１２】
上記形態のカード処理装置は、更に、前記ＩＣカードにおける前記第２の方向に延びた外縁部を検出する外縁検出部を備え、前記許可部は、前記コイルから出力される信号の変化と、前記外縁検出部から出力される信号の変化とに基づいて、前記ＩＣカードの受け入れを許可してもよい。この形態のカード処理装置によれば、ＩＣカードとは異なる異物の受け入れを防止できる。
【００１３】
上記形態のカード処理装置は、更に、前記挿入口に前記ＩＣカードが挿入された際に前記ＩＣカードにおける前記接触端子とは異なる部位が通過する前記挿入口より前記第２の方向側に位置する領域に対向する、前記コイルとは異なる他のコイルを備え、前記許可部は、前記コイルから出力される信号の変化と、前記他のコイルから出力される信号の変化とに基づいて、前記ＩＣカードの受け入れを許可し、前記コイルは、前記第１の方向および前記第２の方向に直交する第３の方向において、前記接触端子が通過する前記領域に対して、前記他のコイルより近くに位置してもよい。この形態のカード処理装置によれば、挿入口に挿入されるＩＣカードが、ＩＣカードの接触端子に対向するコイルに対して、他のコイルより近くを通過するため、挿入口に挿入されてくるＩＣカードの接触端子に対するコイルの感度を一層向上できる。この形態において、前記他のコイルは、前記コイルと同じ構造を有するコイルであってもよい。
【００１４】
本発明の形態は、カード処理装置に限るものではなく、例えば、カード処理装置を備える現金自動取引装置、自動販売機、自動券売機および両替機などの他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１５】
【図１】現金取引装置の外観構成を示す説明図である。
【図２】ＩＣカードの外観構成を示す図である。
【図３】カード処理装置の構成を主に示す説明図である。
【図４】挿入口を中心にカード処理装置の構成を示す正面図である。
【図５】挿入口にＩＣカードが挿入されたカード処理装置を示す正面図である。
【図６】開閉機構が閉鎖状態にあるカード処理装置を示す説明図である。
【図７】開閉機構が開放状態にあるカード処理装置を示す説明図である。
【図８】カード処理装置のコイルとＩＣカードの接触端子との位置関係を示す説明図である。
【図９】矩形のコイルと丸形のコイルとの比較を示す説明図である。
【図１０】他の実施形態におけるコイルを示す説明図である。
【図１１】他の実施形態におけるコイルを示す説明図である。
【発明を実施するための形態】
【００１６】
図１は、現金取引装置１０の外観構成を示す説明図である。現金取引装置１０は、現金の取引を処理する。現金取引装置１０は、現金自動預け払い機とも呼ばれる。本実施形態では、現金取引装置１０は、ユーザ（顧客）の操作に応じて、現金出納および残高照会などの各種取引を行う。
【００１７】
図１には、互いに直交するＸＹＺ軸を図示した。図１のＸＹＺ軸は、後述する他の図に図示するＸＹＺ軸に対応する。本実施形態における現金取引装置１０の使用姿勢では、Ｘ軸は現金取引装置１０の右側から左側に向かう方向がプラスとなり、Ｙ軸は現金取引装置１０の後方から前方に向かう方向がプラスとなり、Ｚ軸は重力方向の下方から上方に向かう方向がプラスとなる。Ｘ軸に沿ったＸ軸方向は、第１の方向であり、Ｙ軸に沿ったＹ軸方向は、第２の方向であり、Ｚ軸に沿ったＺ軸方向は、第３の方向である。本明細書の説明では、Ｘ軸プラス方向を「＋Ｘ軸方向」、Ｘ軸マイナス方向を「−Ｘ軸方向」とも呼び、Ｙ軸プラス方向を「＋Ｙ軸方向」、Ｙ軸マイナス方向を「−Ｙ軸方向」とも呼び、Ｚ軸プラス方向を「＋Ｚ軸方向」、Ｚ軸マイナス方向を「−Ｚ軸方向」とも呼ぶ。
【００１８】
図１の現金取引装置１０は、カード処理装置２０と、紙幣入出金機構５２と、硬貨入出金機構５４と、通帳取扱機構６２と、明細票発行機構６４と、操作受付機構７０とを備える。
【００１９】
現金取引装置１０の紙幣入出金機構５２は、紙幣の入金および出金を取り扱う。現金取引装置１０の硬貨入出金機構５４は、硬貨の入金および出金を取り扱う。現金取引装置１０の通帳取扱機構６２は、取引履歴を記載するための取引通帳を取り扱う。現金取引装置１０の明細票発行機構６４は、取引内容を印字した明細票を発行する。現金取引装置１０の操作受付機構７０は、ユーザとの間で情報をやり取りするユーザインタフェースである。
【００２０】
現金取引装置１０のカード処理装置２０は、カードを処理する。本実施形態では、カード処理装置２０は、集積回路（ＩＣ：Integrated Circuit）を組み込んだカードであるＩＣカードを処理する。
【００２１】
図２は、ＩＣカード９０の外観構成を示す図である。ＩＣカード９０は、カード処理装置２０によって処理可能に構成されたカードである。ＩＣカード９０は、挿入方向Ｄｉｎへとカード処理装置２０に対して挿入される。本実施形態では、挿入方向Ｄｉｎは、−Ｙ軸方向である。ＩＣカード９０の説明では、挿入方向Ｄｉｎへと挿入される状態にあるＩＣカード９０に対するＸＹＺ軸を、ＩＣカード９０上の軸とする。
【００２２】
ＩＣカード９０は、四隅を丸面取りした長方形の薄板状を成す。ＩＣカード９０は、表面９１と、裏面９２と、短辺９３，９４と、長辺９５，９６とを有する。ＩＣカード９０の表面９１は＋Ｚ軸方向を向いた面である。ＩＣカード９０の裏面９２は、−Ｚ軸方向を向いた面である。ＩＣカード９０の短辺９３は、ＩＣカード９０における−Ｙ軸方向側に位置するＸ軸に沿った辺である。ＩＣカード９０の短辺９４は、ＩＣカード９０における＋Ｙ軸方向側に位置するＸ軸に沿った辺である。短辺９３，９４は、同じ長さである。ＩＣカード９０の長辺９５は、ＩＣカード９０における＋Ｘ軸方向側に位置するＹ軸に沿った辺である。ＩＣカード９０の長辺９６は、ＩＣカード９０における−Ｘ軸方向側に位置するＹ軸に沿った辺である。長辺９５，９６は、同じ長さである。
【００２３】
ＩＣカード９０は、ＩＣカード９０に組み込まれたＩＣチップ（図示しない）に対して電気的に接続された接触端子９１０を備える。接触端子９１０は、表面９１においてＸ軸方向およびＹ軸方向にわたって設けられている。本実施形態では、接触端子９１０は、全体として矩形状に配置された複数の端子によって構成されている。本実施形態では、接触端子９１０のＸ軸方向の長さＣｘは、１０．０ｍｍであり、接触端子９１０のＹ軸方向の長さＣｙは、１０．０ｍｍである。他の実施形態では、長さＣｘ，Ｃｙは、５．０ｍｍ以上１５．０ｍｍ以下であってもよい。
【００２４】
ＩＣカード９０は、エンボス加工によって表面９１から＋Ｚ軸方向に突出したエンボス部９５０を備える。本実施形態では、エンボス部９５０は、接触端子９１０より＋Ｘ軸方向側に位置し、Ｙ軸方向に配列された複数の文字を表す。本実施形態では、エンボス部９５０の高さは、約０．４ｍｍである。
【００２５】
図３は、カード処理装置２０の構成を主に示す説明図である。カード処理装置２０は、前面６１０と、挿入口６２０とを備える。カード処理装置２０の前面６１０は、現金取引装置１０の外部に露出し、＋Ｙ軸方向を向いた面である。カード処理装置２０の挿入口６２０は、前面６１０に形成された開口である。挿入口６２０には、ＩＣカード９０が挿入される。
【００２６】
カード処理装置２０は、ＩＣカード９０を処理する構成として、制御部１００と、コイル２１０と、コイル３１０と、スイッチ４１０と、開閉機構５２０と、搬送機構５４０と、カード通信部５６０とを備える。
【００２７】
カード処理装置２０の制御部１００は、カード処理装置２０の各部を制御する。本実施形態では、制御部１００は、現金取引装置１０の各部を制御する主制御部３０と、インタフェース１９０を介して情報をやり取りする。本実施形態では、制御部１００の機能は、コンピュータプログラムに基づいてＣＰＵ（Central Processing Unit）が動作することによってソフトウェア的に実現される。他の実施形態では、制御部１００の機能は、制御部１００が備える回路構成に基づいてハードウェア的に実現されてもよい。
【００２８】
制御部１００は、許可部１１０を備える。許可部１１０は、コイル２１０から出力される信号の変化に基づいて、ＩＣカード９０の受け入れを許可する。許可部１１０は、ＩＣカード９０の受け入れを許可する前に、コイル２１０から出力される信号の変化に基づいて、挿入口６２０に挿入される挿入物がＩＣカード９０であるか否かを判断する。許可部１１０は、挿入物がＩＣカード９０であると判断した場合、挿入物の受け入れを許可する。許可部１１０は、挿入物がＩＣカード９０とは異なる異物であると判断した場合、挿入物の受け入れを拒否する。
【００２９】
本実施形態では、許可部１１０は、コイル２１０から出力される信号の変化に加え、コイル３１０およびスイッチ４１０から出力される信号の変化に基づいて、ＩＣカード９０の受け入れを許可する。他の実施形態では、許可部１１０は、コイル２１０から出力される信号の変化と、コイル３１０およびスイッチ４１０の一方から出力される信号の変化とに基づいて、ＩＣカード９０の受け入れを許可してもよい。
【００３０】
カード処理装置２０のコイル２１０は、挿入口６２０より−Ｙ軸方向側に設けられ、ＩＣカード９０が挿入口６２０に挿入される際に接触端子９１０が通過する領域に対して、磁界を発生させる。コイル２１０から発生する磁界は、挿入口６２０より挿入されたＩＣカード９０の接触端子９１０によって変化し、これに伴って、コイル２１０から出力される信号も変化する。
【００３１】
本実施形態では、カード処理装置２０は、コイル２１０から出力される信号を制御する制御回路２５０を備える。制御回路２５０は、コイル２１０から出力される信号に基づいて、接触端子９１０の有無を判断し、接触端子９１０の有無を許可部１１０に通知する。制御回路２５０からの通知は、許可部１１０によって、ＩＣカード９０であるか否かの判断に利用される。
【００３２】
カード処理装置２０のコイル３１０は、挿入口６２０より−Ｙ軸方向側に設けられ、ＩＣカード９０が挿入口６２０に挿入される際にＩＣカード９０が通過する領域に対して、磁界を発生させる。コイル３１０から発生する磁界は、ＩＣカード９０とは異なる金属製の異物が挿入口６２０に挿入された場合に変化し、これに伴って、コイル３１０から出力される信号も変化する。
【００３３】
本実施形態では、カード処理装置２０は、コイル３１０から出力される信号を制御する制御回路３５０を備える。制御回路３５０は、コイル３１０から出力される信号に基づいて、金属製の異物の有無を判断し、異物の有無を許可部１１０に通知する。制御回路３５０からの通知は、許可部１１０によって、ＩＣカード９０であるか否かの判断に利用される。
【００３４】
カード処理装置２０のスイッチ４１０は、挿入口６２０より−Ｙ軸方向側に設けられ、ＩＣカード９０におけるＹ軸方向に延びた外縁部として長辺９５を検出する外縁検出部である。スイッチ４１０は、挿入口６２０に挿入されるＩＣカード９０の長辺９５と物理的に接触することによって、電路を開閉する。
【００３５】
本実施形態では、カード処理装置２０は、スイッチ４１０から出力される信号を制御する制御回路４５０を備える。制御回路４５０は、スイッチ４１０から出力される信号に基づいて、ＩＣカード９０の長辺９５の有無を判断し、長辺９５の有無を許可部１１０に通知する。制御回路４５０からの通知は、許可部１１０によって、ＩＣカード９０であるか否かの判断に利用される。
【００３６】
カード処理装置２０の開閉機構５２０は、コイル２１０、コイル３１０およびスイッチ４１０より−Ｙ軸方向側に設けられ、挿入口６２０からカード通信部５６０へと続くＩＣカード９０の挿入路を開閉する。開閉機構５２０は、許可部１１０によってＩＣカード９０の受け入れが許可された場合、ＩＣカード９０の挿入路を開放する。開閉機構５２０は、許可部１１０によってＩＣカード９０の受け入れが拒否された場合、ＩＣカード９０の挿入路を閉鎖する。
【００３７】
カード処理装置２０の搬送機構５４０は、挿入口６２０より−Ｙ軸方向側に設けられ、ＩＣカード９０を搬送する。搬送機構５４０は、許可部１１０によって受け入れが許可されたＩＣカード９０をカード通信部５６０へと搬送する。搬送機構５４０は、処理を終えたＩＣカード９０を挿入口６２０へと搬送する。
【００３８】
カード処理装置２０のカード通信部５６０は、開閉機構５２０より−Ｙ軸方向側に設けられ、制御部１００からの指示に基づいて、ＩＣカード９０と通信する。本実施形態では、カード通信部５６０は、接触端子５６２および通信回路５６４を備える。カード通信部５６０の接触端子５６２は、物理的な接触によってＩＣカード９０の接触端子９１０と電気的に接続する。カード通信部５６０の通信回路５６４は、接触端子５６２を介してＩＣカード９０と情報をやり取りする。
【００３９】
図４は、挿入口６２０を中心にカード処理装置２０の構成を示す正面図である。図５は、挿入口６２０にＩＣカード９０が挿入されたカード処理装置２０を示す正面図である。図４および図５には、＋Ｙ軸方向から見たカード処理装置２０が図示されている。
【００４０】
図６は、開閉機構５２０が閉鎖状態にあるカード処理装置２０を示す説明図である。図７は、開閉機構５２０が開放状態にあるカード処理装置２０を示す説明図である。図６および図７には、図４および図５の矢視Ｆ６−Ｆ６から見たカード処理装置２０の断面が図示されている。本実施形態では、開閉機構５２０は、ソレノイドによって駆動されるシャッタ５２２を用いて、ＩＣカード９０の挿入路を開閉する。本実施形態では、搬送機構５４０は、ローラ５４２，５４４を回転させることによってＩＣカード９０を搬送する。
【００４１】
図８は、カード処理装置２０のコイル２１０とＩＣカード９０の接触端子９１０との位置関係を示す説明図である。図８には、図４および図５の矢視Ｆ８−Ｆ８から見たカード処理装置２０の断面とともに、その断面に対して＋Ｚ軸方向側からＺ軸に沿って投影した位置にコイル２１０，３１０が図示されている。
【００４２】
カード処理装置２０は、前面６１０および挿入口６２０を有する筐体６００を備える。筐体６００の材質は、非磁性体であり、本実施形態では、合成樹脂である。筐体６００は、挿入口６２０より−Ｙ軸方向に領域ＣＡを形成する。領域ＣＡは、挿入口６２０にＩＣカード９０が挿入された際にＩＣカード９０が通過する領域である。筐体６００は、領域ＣＡを形成する面として、面６２１と、面６２２と、面６２３と、面６２４と、面６２５と、面６２６とを有する。
【００４３】
筐体６００の面６２１は、ＸＹ平面に沿うとともに＋Ｚ軸方向を向いた面である。筐体６００の面６２２は、ＹＺ平面に沿うとともに＋Ｘ軸方向を向いた面であり、面６２３と面６２４との間を繋ぐ。筐体６００の面６２３は、ＸＹ平面に沿うとともに−Ｚ軸方向を向いた面であり、面６２４より＋Ｘ軸方向かつ＋Ｚ軸方向に位置する。筐体６００の面６２４は、ＸＹ平面に沿うとともに−Ｚ軸方向を向いた面である。筐体６００の面６２５は、ＹＺ平面に沿うとともに＋Ｘ軸方向を向いた面であり、面６２１と面６２４との間を繋ぐ。筐体６００の面６２６は、ＹＺ平面に沿うとともに−Ｘ軸方向を向いた面であり、面６２１と面６２３との間を繋ぐ。
【００４４】
本実施形態では、面６２３は、ＩＣカード９０のエンボス部９５０を避けるため、挿入口６２０の面６２４よりも＋Ｚ軸方向に設けられている。本実施形態では、面６２６には、スイッチ４１０が設けられている。
【００４５】
筐体６００の面６２４より＋Ｚ軸方向に位置する筐体６００の内側には、コイル２１０が配置されている。コイル２１０は、挿入口６２０にＩＣカード９０が挿入された際に接触端子９１０が通過する領域ＴＡに対向する。コイル２１０は、Ｘ軸方向に延びた辺を有する多角形を成す。
【００４６】
本実施形態では、コイル２１０は、電線を矩形状に巻いた空芯コイルであり、コイル２１０の形状は矩形である。コイル２１０は、矩形を構成する４つの辺として、辺２１１と、辺２１２と、辺２１３と、辺２１４とを有する。コイル２１０の辺２１１は、＋Ｙ軸方向側に位置するＸ軸方向に延びた辺である。コイル２１０の辺２１２は、＋Ｘ軸方向側に位置するＹ軸方向に延びた辺である。コイル２１０の辺２１３は、−Ｙ軸方向側に位置するＸ軸方向に延びた辺である。コイル２１０の辺２１４は、−Ｘ軸方向側に位置するＹ軸方向に延びた辺である。
【００４７】
本実施形態では、辺２１１の長さＳ１は、接触端子９１０の長さＣｘより短い。他の実施形態では、長さＳ１は、長さＣｘと同じでもよいし、長さＣｘより長くてもよい。本実施形態では、長さＳ１は、４．８ｍｍである。他の実施形態では、長さＳ１は、５．０ｍｍ以上１５．０ｍｍ以下であってもよい。本実施形態では、辺２１１の長さＳ１は、他の辺２１２，２１３，２１４の長さと同じである。他の実施形態では、辺２１１の長さＳ１は、他の辺２１２，２１３，２１４と異なる長さでもよい。
【００４８】
コイル２１０は、制御回路２５０に接続された配線２１６，２１８を有する。本実施形態では、配線２１６は、辺２１２から−Ｙ軸方向へと延び、配線２１８は、辺２１４から−Ｙ軸方向へと延びている。
【００４９】
本実施形態では、コイル２１０は、Ｚ軸方向において領域ＴＡに対してコイル３１０より近くに位置する。言い換えると、コイル２１０は、距離Ｈｄだけコイル３１０より−Ｚ軸方向側に位置する。本実施形態では、距離Ｈｄは、１．０ｍｍである。他の実施形態では、距離Ｈｄは、０．２ｍｍ以上１０．０ｍｍ以下であってもよい。
【００５０】
筐体６００の面６２３より＋Ｚ軸方向に位置する筐体６００の内側には、コイル３１０が配置されている。コイル３１０は、挿入口６２０にＩＣカード９０が挿入された際に接触端子９１０とは異なる部位が通過する領域に対向する。コイル３１０は、Ｘ軸方向に延びた辺を有する多角形を成す。本実施形態では、コイル３１０は、コイル２１０と同じ構造を有するコイルである。
【００５１】
本実施形態では、コイル３１０は、コイル２１０と同様に、電線を矩形状に巻いた空芯コイルであり、コイル３１０の形状は矩形である。コイル３１０は、矩形を構成する４つの辺として、辺３１１と、辺３１２と、辺３１３と、辺３１４とを有する。コイル３１０の辺３１１は、＋Ｙ軸方向側に位置するＸ軸方向に延びた辺である。コイル３１０の辺３１２は、＋Ｘ軸方向側に位置するＹ軸方向に延びた辺である。コイル３１０の辺３１３は、−Ｙ軸方向側に位置するＸ軸方向に延びた辺である。コイル３１０の辺３１４は、−Ｘ軸方向側に位置するＹ軸方向に延びた辺である。
【００５２】
コイル３１０は、制御回路３５０に接続された配線３１６，３１８を有する。本実施形態では、配線３１６は、辺３１２から−Ｙ軸方向へと延び、配線３１８は、辺３１４から−Ｙ軸方向へと延びている。
【００５３】
本実施形態では、カード処理装置２０は、領域ＣＡの周囲をコイル２１０を含めて囲む磁気シールド７００を備える。磁気シールド７００は、挿入口６２０より大きな矩形状に電線を巻いた空芯コイルである。本実施形態では、磁気シールド７００は、領域ＣＡの周囲をコイル２１０およびコイル３１０を含めて囲む。本実施形態では、磁気シールド７００は、筐体６００の内側に配置されている。
【００５４】
図９は、矩形のコイル２１０と丸形のコイル２１０Ａとの比較を示す説明図である。コイル２１０Ａは、丸形を成す空芯コイルである。コイル２１０Ａの直径は、コイル２１０の辺２１１の長さＳ１と同じである。コイル２１０Ａにおける＋Ｙ軸方向側の端部２１１Ａは、Ｙ軸方向において、コイル２１０の辺２１１と同じ位置である。コイル２１０，２１０Ａの各々に重ねて図示されたＩＣカード９０の位置は、コイル２１０，２１０Ａの各々から出力される信号が同じレベルになる位置である。丸形のコイル２１０ＡにおけるＩＣカード９０は、矩形のコイル２１０におけるＩＣカード９０より、−Ｙ軸方向（挿入方向Ｄｉｎ）へと距離ＤＩだけ進んだ位置になる。このように、辺２１１を有する矩形のコイル２１０は、挿入口６２０に挿入されてくるＩＣカード９０の接触端子９１０に対して、丸形のコイル２１０Ａより早く、反応できる。
【００５５】
以上説明した実施形態によれば、ＩＣカード９０が挿入された際、Ｘ軸方向にわたって設けられた接触端子９１０に対して、Ｘ軸方向に延びたコイル２１０の辺２１１が挿入口６２０側に位置するため、挿入口６２０に挿入されてくるＩＣカード９０の接触端子９１０に対するコイル２１０の感度を向上できる。したがって、ＩＣカード９０が挿入口６２０に挿入されてからＩＣカード９０の受け入れを許可するまでの時間を短縮することができる。
【００５６】
また、コイル２１０の形状が矩形であるため、Ｘ軸方向に延びた辺２１１を挿入口６２０側に有するコイルを容易に実現できる。また、コイル２１０は空芯コイルであるため、ポッドコアなどの磁気遮蔽型コアを有するコイルと比較して、コイル２１０から発生する磁界の範囲が広くなるため、挿入口６２０に挿入されてくるＩＣカード９０の接触端子９１０に対するコイル２１０の感度を一層向上できる。
【００５７】
また、磁気シールド７００が、ＩＣカード９０が通過する領域ＣＡの周囲を、コイル２１０を含めて囲むため、挿入口６２０の外部にコイル２１０の磁界が漏れることを防止できる。
【００５８】
また、非磁性体である筐体６００の面６２４が、ＩＣカード９０が通過する領域ＣＡと、コイル２１０との間に設けられているため、ＩＣカード９０との接触によるコイル２１０の損傷を防止できる。
【００５９】
また、許可部１１０が、コイル２１０から出力される信号の変化と、スイッチ４１０から出力される信号の変化とに基づいて、ＩＣカード９０の受け入れを許可するため、ＩＣカード９０とは異なる異物の受け入れを防止できる。
【００６０】
また、本実施形態では、コイル２１０は、Ｚ軸方向において、接触端子９１０が通過する領域ＴＡに対して、コイル３１０より近くに位置する。これによって、挿入口６２０に挿入されるＩＣカード９０がコイル２１０に対してコイル３１０より近くを通過するため、挿入口６２０に挿入されてくるＩＣカード９０の接触端子９１０に対するコイル２１０の感度を一層向上できる。
【００６１】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【００６２】
図１０は、他の実施形態におけるコイル２１０Ｂを示す説明図である。コイル２１０Ｂは、台形を成す点を除き、上述の実施形態におけるコイル２１０の構成と同様である。コイル２１０Ｂは、辺２１１Ｂと、辺２１２Ｂと、辺２１３Ｂと、辺２１４Ｂとを有する。コイル２１０Ｂの辺２１１Ｂは、＋Ｙ軸方向側に位置するＸ軸方向に延びた辺である。コイル２１０Ｂの辺２１２Ｂは、−Ｘ軸方向側で辺２１１Ｂと辺２１３Ｂとの間を繋ぐ辺である。コイル２１０Ｂの辺２１３Ｂは、−Ｙ軸方向側に位置するＸ軸方向に延びた辺であり、辺２１１Ｂより短い。コイル２１０Ｂの辺２１４Ｂは、＋Ｘ軸方向側で辺２１１Ｂと辺２１３Ｂとの間を繋ぐ辺である。
【００６３】
図１１は、他の実施形態におけるコイル２１０Ｃを示す説明図である。コイル２１０Ｃは、三角形を成す点を除き、上述の実施形態におけるコイル２１０の構成と同様である。コイル２１０Ｃは、辺２１１Ｃと、辺２１２Ｃと、辺２１３Ｃとを有する。コイル２１０Ｃの辺２１１Ｃは、＋Ｙ軸方向側に位置するＸ軸方向に延びた辺である。コイル２１０Ｃの辺２１２Ｃは、辺２１１Ｃの−Ｘ軸方向側と辺２１３Ｃとの間を繋ぐ辺である。コイル２１０Ｃの辺２１３Ｃは、辺２１１Ｃの＋Ｘ軸方向側と辺２１２Ｃとの間を繋ぐ辺である。
【００６４】
他の実施形態では、コイル２１０は、４つより多い角を有する多角形であってもよい。他の実施形態では、コイル２１０は、芯を有するコイルであってもよい。他の実施形態では、コイル３１０は、コイル２１０と異なる構造を有するコイルであってもよい。
【符号の説明】
【００６５】
１０…現金取引装置
２０…カード処理装置
３０…主制御部
５２…紙幣入出金機構
５４…硬貨入出金機構
６２…通帳取扱機構
６４…明細票発行機構
７０…操作受付機構
９０…ＩＣカード
９１…表面
９２…裏面
９３，９４…短辺
９５，９６…長辺
１００…制御部
１１０…許可部
１９０…インタフェース
２１０，２１０Ａ，２１０Ｂ，２１０Ｃ…コイル
２１１，２１１Ｂ，２１１Ｃ…辺
２１１Ａ…端部
２１２，２１２Ｂ，２１２Ｃ…辺
２１３，２１３Ｂ，２１３Ｃ…辺
２１４，２１４Ｂ…辺
２１６，２１８…配線
２５０…制御回路
３１０…コイル
３１１，３１２，３１３，３１４…辺
３１６，３１８…配線
３５０…制御回路
４１０…スイッチ
４５０…制御回路
５２０…開閉機構
５２２…シャッタ
５４０…搬送機構
５４２…ローラ
５６０…カード通信部
５６２…接触端子
５６４…通信回路
６００…筐体
６１０…前面
６２０…挿入口
６２１，６２２，６２３，６２４，６２５，６２６…面
７００…磁気シールド
９１０…接触端子
９５０…エンボス部
【図１】
2015201061.tif 000003
【図２】
2015201061.tif 000004
【図３】
2015201061.tif 000005
【図４】
2015201061.tif 000006
【図５】
2015201061.tif 000007
【図６】
2015201061.tif 000008
【図７】
2015201061.tif 000009
【図８】
2015201061.tif 000010
【図９】
2015201061.tif 000011
【図１０】
2015201061.tif 000012
【図１１】
2015201061.tif 000013